(57)【要約】【課題】多極ジャック全体の長さを短くし、多極ジャックが設けられる電子機器のバッテリーの一層の大型化を図ることを可能にすると共に、設置される端子の長さを短くし、極数が増加しても多極ジャックの小型化の希求に応えることができる。【解決手段】多極プラグの電極と接触する端子基部２１ａ〜２１ｉが略筒状の本体２に設けられ、端子基部２１ａ〜２１ｉの接続端部２１２ａ〜２１２ｉが本体２から導出され、略有底筒状の樹脂製のケース３に開口３１から本体２が装着され、ケース３の側壁３５の内外に突出してインサート成形されている延長端子部３４ａ〜３４ｉの内端部３４１ａ〜３４１ｉが対応する端子基部２１ａ〜２１ｉの接続端部２１２ａ〜２１２ｉと電気的に接続される多極ジャック１。【選択図】図４
2014137847.tif 000002
【特許請求の範囲】
【請求項１】
多極プラグの電極と接触する端子基部が略筒状の本体に設けられ、
各端子基部の接続端部が前記本体から導出され、
略有底筒状の樹脂製のケースに開口から前記本体が装着され、
前記ケースの側壁の内外に突出してインサート成形されている延長端子部の内端部が対応する前記端子基部の前記接続端部と電気的に接続される
ことを特徴とする多極ジャック。
【請求項２】
前記ケースの両側の側壁にそれぞれ設けられている前記延長端子部の内端部が対応する前記端子基部の前記接続端部と電気的に接続される
ことを特徴とする請求項１記載の多極ジャック。
【請求項３】
多極プラグの筒状電極と電気的に接続される前記端子基部の各々が前記本体の側部に配置され、全ての前記端子基部の前記接続端部が前記本体の側方から導出されることを特徴とする請求項１又は２記載の多極ジャック。
【請求項４】
前記端子基部の前記接続端部が板バネ状に形成され、前記ケースの前記延長端子部に圧接して接続されることを特徴とする請求項１〜３の何れかに記載の多極ジャック。
【請求項５】
前記板バネ状の接続端部が各々弾性を有する複数の分岐接触片で構成されていることを特徴とする請求項４記載の多極ジャック。
【請求項６】
少なくとも多極プラグの筒状電極に対応する前記端子基部における前記板バネ状の接続端部が、前記ケースの底部側に凸で湾曲する湾曲部を介して設けられていることを特徴とする請求項４又は５記載の多極ジャック。
【請求項７】
前記ケースの開口の周囲に鍔部が一体形成されていることを特徴とする請求項１〜６の何れかに記載の多極ジャック。
【請求項８】
前記本体が前記ケースから突出する長さを有し、
前記ケースの前記鍔部が前記本体の中間部に対応する位置に配置されることを特徴とする請求項７記載の多極ジャック。
【請求項９】
前記ケースの前記延長端子部の内端部が板バネ状に形成され、前記端子基部の前記接続端部に圧接して接続されることを特徴とする請求項１〜３の何れかに記載の多極ジャック。
【請求項１０】
請求項１〜９の何れかに記載の多極ジャックの製造方法であって、
所定個数の前記端子基部の配置箇所を有する金型を用い、前記配置箇所の適宜箇所に前記所定個数以内の所要個数の前記端子基部を配置し、その状態で所要個数の前記端子基部を樹脂にインサート成形して前記本体を形成する工程
を有することを特徴とする多極ジャックの製造方法。
【請求項１１】
請求項１〜９の何れかに記載の多極ジャックを備え、平面視で前記ケースの側壁の側方の位置において、前記延長端子部と筐体側の端子とが電気的に接続されることを特徴とする電子機器。
【発明の詳細な説明】
【技術分野】
【０００１】
本発明は、例えば多機能型携帯電話、携帯型情報端末など各種電子機器の電気的な接続に用いられる多極ジャック及びその製造方法並びに電子機器に関する。
【背景技術】
【０００２】
従来、各種電子機器の電気的な接続に多極プラグと多極ジャックが用いられており、例えばヘッドフォンなど周辺電子機器に設けられる多極プラグと、多機能型携帯電話、携帯用音楽プレーヤーなどの電子機器本体に設けられる多極ジャックとでコネクタが構成されている。
【０００３】
そして、多極ジャックとしては、例えば特許文献１の多極ジャックがある。この多極ジャックは、多極プラグの極数に対応する端子基部がハウジング内に設けられ、ハウジングの後部開口から端子基部が直線的に後方に延長されて、後部開口を閉じる板状ラバー部材のスリットを貫通して後方に導出される。更に、ハウジングの後部開口には板状ラバー部材を所定位置に固定保持するカバー部材が設けられる。このカバー部材には端子を外部に延長する延長端子部が端子基部にそれぞれ対応して設けられており、板状ラバー部材から後方に導出されている端子基部の端部の接続溝に延長端子部の内端を挿入して端子基部と延長端子部がそれぞれ電気的に接続される。
【０００４】
この多極ジャックは、ハウジングの後部開口に対応する形状の弾力性がある板状ラバー部材を後部開口に嵌め込み、後部開口と板状ラバー部材との間の水密性を確保し、更に、弾力性がある板状ラバー部材のスリットで端子基部を挟持して貫通部位の水密性を確保することにより、端子を外部に導出するハウジングの後部開口の防水構造を形成している。これにより、板状ラバー部材の周縁部とハウジングの後部開口の内周面との間、スリットと端子基部との間に接着剤を充填する必要がなくなり、延長端子部を半田付けした場合に熱膨張・収縮の差で接着剤が剥離することによる防水性の劣化を無くすことができる。即ち、端子を導出するハウジングの後部開口に対する接着剤による封止を無くし、端子を半田付けした際の防水性の劣化を無くすことが可能になっている。
【先行技術文献】
【特許文献】
【０００５】
【特許文献１】特開２０１２−１５５８７３号公報
【発明の概要】
【発明が解決しようとする課題】
【０００６】
ところで、多機能型携帯電話、携帯型情報端末など携帯型の電子機器では、駆動時間をより長くするため、バッテリーのサイズをより大きいものにすることが強く求められているが、特許文献１の多極ジャックは、ハウジングの後部開口から長さ方向に端子を導出し、多極ジャック全体の長さが長いものとなるため、多極ジャックの後方に配置されるバッテリーの大型化を阻害する要因となっている。
【０００７】
また、多極ジャックで端子を後方から導出する場合、挿入開口に近い位置にプラグ接触部を有する端子は長いものになるが、端子の長さが長くなると、多極ジャックの小型化の希求に応えられるようにハウジング内の適切な位置に端子を配置することが難しくなるという問題もある。この問題は、多極ジャックの極数が増加するに従ってより顕著となる。
【０００８】
本発明は上記課題に鑑み提案するものであって、多極ジャック全体の長さを短くし、多極ジャックが設けられる電子機器のバッテリーの一層の大型化を図ることを可能にすると共に、設置される端子の長さを短くし、極数が増加しても多極ジャックの小型化の希求に応えることができる多極ジャック及びその製造方法並びに電子機器を提供することを目的とする。
【課題を解決するための手段】
【０００９】
本発明の多極ジャックは、多極プラグの電極と接触する端子基部が略筒状の本体に設けられ、各端子基部の接続端部が前記本体から導出され、略有底筒状の樹脂製のケースに開口から前記本体が装着され、前記ケースの側壁の内外に突出してインサート成形されている延長端子部の内端部が対応する前記端子基部の前記接続端部と電気的に接続されることを特徴とする。
この構成によれば、端子を後方でなく側方から引き出すことが可能となり、多極ジャック全体の長さを短くし、多極ジャックが設けられる電子機器のバッテリーの一層の大型化を図ることが可能となる。また、プラグが挿入される本体の開口に近いプラグ接触部を有する端子基部も側方からの引き出しで短くすることが可能となり、設置される端子の長さを短くし、極数が増加しても多極ジャックの小型化の希求に応えることができる。また、略有底筒状の樹脂製のケースで本体の奥側の面や上下左右の所要領域を確実に防水することができる。また、延長端子部をケースにインサート成形することにより、延長端子部の半田付けの際に接着剤が剥離するようなことがなく、延長端子部の半田付け作業による防水性の劣化を防止し、高い歩留まりを発揮することができる。また、電子機器の筐体やその製造の際の高額な筐体側の金型に変更を加えず、ジャック側の変更だけで済むので、電子機器の製造コストを抑制することもできる。
【００１０】
本発明の多極ジャックは、前記ケースの両側の側壁にそれぞれ設けられている前記延長端子部の内端部が対応する前記端子基部の前記接続端部と電気的に接続されることを特徴とする。
この構成によれば、両側の側壁から端子を引き出すことにより、例えば４極以上の５極〜１０極等に極数が増加した場合にも容易に適応することができる。
【００１１】
本発明の多極ジャックは、多極プラグの筒状電極と電気的に接続される前記端子基部の各々が前記本体の側部に配置され、全ての前記端子基部の前記接続端部が前記本体の側方から導出されることを特徴とする。
この構成によれば、多極プラグの筒状電極に対応する端子基部を本体の側部に配置し、全ての端子基部の接続端部を側方から導出してケースの側壁の内側で延長端子部の内端部を接続することにより、端子基部や、端子基部と延長端子部で構成される端子の全体長さをほぼ最小にすることが可能となり、極数の増加に対応する設計をより確実に行うことが可能となって、多極ジャックの小型化の希求に確実に応えることができる。
【００１２】
本発明の多極ジャックは、前記端子基部の前記接続端部が板バネ状に形成され、前記ケースの前記延長端子部に圧接して接続されることを特徴とする。
この構成によれば、端子基部と延長端子部を半田付け接続した場合に生ずる端子基部や延長端子部やこれらの周辺への熱影響を無くし、接続端部と延長端子部の電気的接続を確実に且つ簡単に行うことができる。
【００１３】
本発明の多極ジャックは、前記板バネ状の接続端部が各々弾性を有する複数の分岐接触片で構成されていることを特徴とする。
この構成によれば、各端子に複数の分岐接触片で複数の接触点を設けることにより、端子基部と延長端子部の導通性をより確実に確保することができる。また、一方の分岐接触片のバネ性が低下した場合も他方の分岐接触片によって導通を確保することができる。
【００１４】
本発明の多極ジャックは、少なくとも多極プラグの筒状電極に対応する前記端子基部における前記板バネ状の接続端部が、前記ケースの底部側に凸で湾曲する湾曲部を介して設けられていることを特徴とする。
この構成によれば、接続端部が板バネ状で設けられた端子基部を有する本体を、ケースにスムーズに挿入することが可能となり、製造工程の効率化を図ることができる。
【００１５】
本発明の多極ジャックは、前記ケースの開口の周囲に鍔部が一体形成されていることを特徴とする。
この構成によれば、例えば鍔部の正面（プラグ挿入側の面）と筐体の所定部との間に防水性の両面テープ、オーリング又はシリコン等のパッキンを設ける等により、電子機器の筐体に多極ジャックを取り付けた際に、ケースの外側から筐体内に水が浸入することを鍔部で防ぐことができる。
【００１６】
本発明の多極ジャックは、前記本体が前記ケースから突出する長さを有し、前記ケースの前記鍔部が前記本体の中間部に対応する位置に配置されることを特徴とする。
この構成によれば、本体の先端と鍔部との間の領域を多様な用途に有効利用することができる。
【００１７】
本発明の多極ジャックは、前記ケースの前記延長端子部の内端部が板バネ状に形成され、前記端子基部の前記接続端部に圧接して接続されることを特徴とする。
この構成によれば、端子基部と延長端子部を半田付け接続した場合に生ずる端子基部や延長端子部やこれらの周辺への熱影響を無くし、接続端部と延長端子部の電気的接続を確実に且つ簡単に行うことができる。
【００１８】
本発明の多極ジャックの製造方法は、本発明の多極ジャックを製造する方法であって、所定個数の前記端子基部の配置箇所を有する金型を用い、前記配置箇所の適宜箇所に前記所定個数以内の所要個数の前記端子基部を配置し、その状態で所要個数の前記端子基部を樹脂にインサート成形して前記本体を形成する工程を有することを特徴とする。
この構成によれば、本体の端子基部の数を調整して多極ジャックの極数を調整するようにし、本体の金型とケースの金型の双方について同一の金型を使用して多様な極数の多極ジャックを製造することが可能となる。従って、製造ラインの共通化による製造効率の向上、高額な金型費用の抑制、製造コストの低減を図ることができる。また、端子基部の数を減じた場合に対応する端子基部を有しないケースの延長端子部については、そのままダミーの延長端子部として形成する多極ジャックを得ることが可能となり、極数の異なる多極ジャックを本体とケースの双方について同一の金型で製造する際に、ケースの当該部位について破損しやすい樹脂突出部が形成されることも防止可能となる。
【００１９】
本発明の電子機器は、本発明の多極ジャックを備え、平面視で前記ケースの側壁の側方の位置において、前記延長端子部と筐体側の端子とが電気的に接続されることを特徴とする。
この構成によれば、本発明の多極ジャックの効果を有する携帯型の電子機器等の電子機器を得ることができる。また、多極ジャックの後方にバッテリーが配置される電子機器の構造において、側壁側方で延長端子部と筐体側の端子とを接続することにより、後方で接続した場合の接続スペースをバッテリーの大型化のスペースに有効利用することが可能となり、電子機器のバッテリーの大型化を確実に実現することができる。
【発明の効果】
【００２０】
本発明によれば、多極ジャック全体の長さを短くし、多極ジャックが設けられる電子機器のバッテリーの一層の大型化を図ることを可能にすると共に、設置される端子の長さを短くし、極数が増加しても多極ジャックの小型化の希求に応えることができる。
【図面の簡単な説明】
【００２１】
【図１】本発明による実施形態の多極ジャックを斜め上方から視た状態の斜視図。
【図２】本発明による実施形態の多極ジャックを斜め下方から視た状態の斜視図。
【図３】本発明による実施形態の多極ジャックの正面図。
【図４】実施形態の多極ジャックのＡ−Ａ線矢視断面図。
【図５】実施形態の多極ジャックにおける本体の斜視図。
【図６】実施形態の多極ジャックにおけるケースの側面図。
【図７】端子基部の接続端部の変形例を示す部分斜視図。
【発明を実施するための形態】
【００２２】
〔実施形態の多極ジャック及びその製造方法〕
本実施形態の多極ジャック１は、例えば多機能型携帯電話、携帯型情報端末など携帯型の電子機器に用いられるものであり、図１〜図４に示すように、多極プラグが挿入される略筒状の本体２と、略有底筒状の樹脂製のケース３とから構成され、ケース３の開口３１から本体２が挿入されて本外２がケース３に装着されるようになっている。
【００２３】
本体２には、図４及び図５に示すように、多極プラグの電極と接触する端子基部２１ａ〜２１ｉが離間して設けられており、端子基部２１ａ〜２１ｉは所定形状に屈曲した略板状で形成されている。端子基部２１ａ〜２１ｉは、挿入される多極プラグの極数に対応する数で設けられ、本例では多極プラグの９極に対応して９個設けられている。尚、端子基部の個数は、多極プラグの極数に対応して複数以上の適宜個数とすることが可能であり、例えば４極、５極、６極、７極、８極等とすることが可能である。
【００２４】
端子基部２１ａは、多極プラグの先端電極と電気的に接続されるものであり、本体２の最奥に対応する位置にプラグ接触部２１１ａを有すると共に、接続端部２１２ａが本体２の側部に配置されて本体２の側方から導出されている。接続端部２１２ａは略Ｌ字形の屈曲を介して板バネ状になっており、各々弾性を有する複数（図示例では２つ）の分岐接触片２１３から構成され、各分岐接触片２１３の略先端の外面には外側に凸の突起状に形成された接触点２１４ａが設けられている。
【００２５】
端子基部２１ｂ〜２１ｉは、それぞれ多極プラグの対応する筒状電極と電気的に接続されるものであり、本体２の側部に配置されている。端子基部２１ｂ〜２１ｉでは、内端部に設けられているプラグ接触部２１１ｂ〜２１１ｉが本体２の多極プラグの挿入孔２２の側部に配置されており、各プラグ接触部２１１ｂ〜２１１ｉは挿入孔２２の内側に向かって凸になっている。各プラグ接触部２１１ｂ〜２１１ｉは、多極プラグの各筒状電極の位置に対応して所定間隔を開けて配置されている。
【００２６】
端子基部２１ｂ〜２１ｉの外端側には、ケース３の底部３２側に凸となるように略Ｕ字状に湾曲する湾曲部２１５ｂ〜２１５ｉが形成されており、湾曲部２１５ｂ〜２１５ｉで折り返された先端周辺に接続端部２１２ｂ〜２１２ｉが設けられ、接続端部２１２ｂ〜２１２ｉの各々は本体２の側方から導出されている。接続端部２１２ｂ〜２１２ｉは湾曲部２１５ｂ〜２１５ｉを介して板バネ状になっており、各々弾性を有する複数（図示例では２つ）の分岐接触片２１３から構成され、各分岐接触片２１３の略先端の外面には外側に凸の突起状に形成された接触点２１４ｂ〜２１４ｉが設けられている。
【００２７】
ケース３は、図１〜図４及び図６に示すように、本例では略有底四角筒状であり、その開口３１の周囲に鍔部３３が一体形成されている。ケース３には、板状で正面視で略Ｌ字形の延長端子部３４ａ〜３４ｉが側壁３５の内外に突出するようにインサート成形されている。この延長端子部３４ａ〜３４ｉの各内端部３４１ａ〜３４１ｉは側壁３５の内側で露出しており、又、その各外端部３４２ａ〜３４２ｉは下板３６近傍で側壁３５の外側に露出している。本例における外端部３４２ａ〜３４２ｉは、側壁３５から側方に延在するように形成されていると共に、下板３６よりも下方に突出するように形成されており、例えば下板３６の下側或いは側壁３５の側方に設けられる電子機器の筐体側の端子と、平面視で側壁３５の側方の位置で電気的に接続することが容易になっている。
【００２８】
延長端子部３４ａ〜３４ｉは、側壁３５の長さ方向に離間して所定間隔を開けて並設されており、両側の側壁３５にそれぞれ離間して並設されている。本例では、一方の側壁３５に５個、他方の側壁３３に４個で計９個の延長端子部３４ａ〜３４ｉが設けられている。尚、極数等に応じて延長端子部を一方の側壁３５にのみ並設し、これに対応して本体２の端子基部を対応する側壁３５側に側方から導出するようにすることも可能である。また、本例における延長端子部３４ａ〜３４ｉの外端部３４２ａ〜３４２ｉは、略等間隔で並置されて側壁３５の外側に露出している。
【００２９】
本体２がケース３に装着された状態では、ケース３の深さより長く形成されている本体２がケース３から突出し、ケース３の鍔部３３が本体２の中間部に対応する位置に配置される。また、本体２の端子基部２１ａの接続端部２１２ａは、板バネ状の分岐接触片２１３の接触点２１４ａにより、ケース３の対応する延長端子部３４ａの内端部３４１ａに圧接して電気的に接続されると共に、本体２の端子基部２１ｂ〜２１ｉの接続端部２１２ｂ〜２１２ｉは、板バネ状の分岐接触片２１３の接触点２１４ｂ〜２１４ｉにより、ケース３の対応する延長端子部３４ｂ〜３４ｉの内端部３４１ｂ〜３４１ｉに圧接して電気的に接続される。
【００３０】
本体２をケース３に挿入して装着する動作では、ケース３の底部３２側で屈曲する略Ｌ字形の屈曲部分を介して接続端部２１２ａが設けられ、ケース３の底部３２側に凸の湾曲部２１５ｂ〜２１５ｉを介して接続端部２１２ｂ〜２１２ｉが設けられていることから、接続端部２１２ａ、２１２ｂ〜２１２ｉが延長端子部３４ａ〜３４ｉで挿入動作を阻害されることがなく、本体２をケース３にスムーズに挿入することが可能であり、製造工程の効率化に資する構成となっている。
【００３１】
また、多極ジャック１を製造する際には、所定個数の端子基部の配置箇所を有する金型を用い、配置箇所の適宜箇所に所定個数以内の所要個数の端子基部を配置し、その状態で所要個数の端子基部を樹脂にインサート成形して本体２を形成する工程を採用すると極数の異なる多極ジャック１を簡単に得られて好適であり、より好適にはこの工程に対応して、端子基部の所定個数と同一の所定個数の延長端子部の配置箇所を有する金型を用い、その配置箇所に所定個数の延長端子部を配置し、その状態で所定個数の延長端子部を樹脂にインサート成形してケース３を形成し、この本体２をケース３に挿入して装着する工程を採用するとよい。
【００３２】
例えば９個の端子基部２１ａ〜２１ｉの配置箇所を有する金型を用い、本実施形態における９個の端子基部２１ａ〜２１ｉを有する本体２を形成する際には、配置箇所の全ての箇所に９個の端子基部２１ａ〜２１ｉを配置し、その状態で端子基部２１ａ〜２１ｉを樹脂にインサート成形して本体２を形成し、又、同様の金型を用いて、８個の端子基部２１ａ〜２１ｈを有する本体２を形成する際には、配置箇所の所要箇所に８個の端子基部２１ａ〜２１ｈを配置し、その状態で端子基部２１ａ〜２１ｈを樹脂にインサート成形して本体２を形成すること等が可能となる。また、ケース３については、本体２の端子基部の個数に拘わらず、９個の延長端子部３４ａ〜３４ｉの配置箇所を有する金型を用い、配置箇所の全ての箇所に９個の延長端子部３４ａ〜３４ｉを配置し、その状態で延長端子部３４ａ〜３４ｉを樹脂にインサート成形してケース３を形成するようにし、このケース３に９個の端子基部２１ａ〜２１ｉを有する本体２、或いは８個の端子基部２１ａ〜２１ｈを有する本体２を装着して、極数の異なる多極ジャック１を得るようにすると好ましい。
【００３３】
これにより、本体２の端子基部の数を調整して多極ジャック１の極数を調整し、本体２の金型とケース３の金型の双方について同一の金型を使用して多様な極数の多極ジャック１を製造することが可能となる。従って、極数の異なる多極ジャック１を得る際に、製造ラインの共通化による製造効率の向上、高額な金型費用の抑制、製造コストの低減を図ることができる。また、端子基部の数を減じた場合に対応する端子基部を有しないケース３の延長端子部については、そのままダミーの延長端子部として形成する多極ジャック１を得ることが可能となり、極数の異なる多極ジャック１を本体２とケース３の双方について同一の金型で製造する際に、ケース３の当該部位について破損しやすい樹脂突出部が形成されることも防止可能となる。
【００３４】
本実施形態の多極ジャック１によれば、端子を後方でなく側方から引き出すことが可能となり、多極ジャック１の全体の長さを短くし、多極ジャック１が設けられる電子機器のバッテリーの一層の大型化を図ることが可能となる。特に、多極ジャック１の後方にバッテリーが配置される電子機器の構造において、側壁３５の側方で延長端子部３４ａ〜３４ｉと電子機器の筐体側の端子とを接続することにより、後方で接続した場合の接続スペースをバッテリーの大型化のスペースに有効利用することが可能となり、電子機器のバッテリーの大型化を確実に実現することができる。
【００３５】
また、多極プラグが挿入される本体２の開口に近いプラグ接触部２１１ｉを有する端子基部２１ｉ等も側方からの引き出しで短くすることが可能となり、設置される端子の長さを短くし、極数が増加しても多極ジャック１の小型化の希求に応えることができる。また、略有底筒状の樹脂製のケース３で本体２の奥側の面や上下左右の所要領域を確実に防水することができる。また、延長端子部３４ａ〜３４ｉをケース３にインサート成形することにより、延長端子部３４ａ〜３４ｉの半田付けの際に接着剤が剥離するようなことがなく、延長端子部３４ａ〜３４ｉの半田付け作業による防水性の劣化を防止し、高い歩留まりを発揮することができる。また、電子機器の筐体やその製造の際の高額な筐体側の金型に変更を加えず、ジャック側の変更だけで済むので、電子機器の製造コストを抑制することもできる。
【００３６】
また、両側の側壁３５から端子を引き出すことにより、例えば４極以上の５極〜１０極等に極数が増加した場合にも容易に適応することができる。また、多極プラグの筒状電極に対応する端子基部２１ｂ〜２１ｉを本体２の側部に配置し、全ての端子基部２１ａ〜２１ｉの接続端部２１２ａ〜２１２ｉを側方から導出してケース３の側壁３５の内側で延長端子部３４ａ〜３４ｉの内端部３４１ａ〜３４１ｉを接続することにより、端子基部２１ａ〜２１ｉや、端子基部２１ａ〜２１ｉと延長端子部３４ａ〜３４ｉで構成される端子の全体長さをほぼ最小にすることが可能となり、極数の増加に対応する設計をより確実に行うことが可能となって、多極ジャック１の小型化の希求に確実に応えることができる。
【００３７】
また、端子基部２１ａ〜２１ｉの接続端部２１２ａ〜２１２ｉを延長端子部３４ａ〜３４ｉに圧接して接続することにより、端子基部と延長端子部を半田付け接続した場合に生ずる端子基部や延長端子部やこれらの周辺への熱影響を無くし、接続端部と延長端子部の電気的接続を確実に且つ簡単に行うことができる。また、各端子に複数の分岐接触片２１３で複数の接触点２１４ａ〜２１４ｉを設けることにより、端子基部２１ａ〜２１ｉと延長端子部３４ａ〜３４ｉの導通性をより確実に確保することができると共に、一方の分岐接触片２１３のバネ性が低下した場合も他方の分岐接触片２１３によって導通を確保することができる。
【００３８】
また、ケース３の開口３１の周囲に鍔部３３を一体形成し、例えば鍔部３３の正面（プラグ挿入側の面）と筐体の所定部との間に防水性の両面テープ、オーリング又はシリコン等のパッキンを設ける等により、電子機器の筐体に多極ジャック１を取り付けた際に、ケース３の外側から筐体内に水が浸入することを鍔部３３で防ぐことができる。また、ケース３の鍔部３３が本体２の中間部に対応する位置に配置されるようにすることにより、本体２の先端と鍔部３３との間の領域を多様な用途に有効利用することができる。
【００３９】
〔実施形態の変形例等〕
本明細書開示の発明は、各発明、実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例等も包含する。
【００４０】
例えば上記実施形態では、端子基部２１ａ〜２１ｉの接続端部２１２ａ〜２１２ｉを板バネ状にしたが、ケース３側の延長端子部の内端部を湾曲部を介して設ける等で板バネ状に形成し、この延長端子部の内端部を通常の板部等の端子基部の接続端部に圧接して電気的に接続するようにすることも可能である。尚、湾曲部を介して延長端子部の内端部に設ける場合には、この湾曲部はケース３の開口３１に向かって凸になるようにすると、本体２をケース３にスムーズに挿入して装着することが可能になるので好適である。
【００４１】
また、本体側の端子基部の接続端部を板バネ状にする場合や、ケース側の延長端子部の内端部を板バネ状とする場合に、板バネの構成は板バネとして作用して圧接可能なものであれば適宜であり、上記実施形態に限定されない。例えば図７に示すように、本体２における接続端部２１２ｍを、板材を切り抜いて分岐接触片２１３ｍ・２１３ｍを簡易に形成し、各分岐接触片２１３ｍの略先端の外面に外側に凸の突起状に形成された接触点２１４ｍを形成し、分岐接触片２１３ｍが板バネ状に作用して接触点２１４ｍを延長端子部に圧接する構成、より好適には分岐接触片２１３ｍを先端に向かって外側になるように傾斜してバネ性を高めて設ける構成等とすることが可能である。
【００４２】
また、本体２側の端子基部の接続端部とケース３側の延長端子部の内端部との電気的接続は、例えば導電性接着剤等で固着して電気的に接続する等、圧接以外とすることも可能である。また、本体３側の端子基部の接続端部は、各々弾性を有する複数の分岐接触片２１３とする以外にも、例えば単数の接触片とするなど適宜である。
【００４３】
また、ケース３の側壁３５の内外に突出して延長端子部３４ａ〜３４ｉの内端部３４１ａ〜３４１ｉ等と、端子基部２１ａ〜２１ｉの接続端部２１２ａ〜２１２ｉ等との電気的な接続位置は、ケース３の側壁３５と本体２の側部との間の位置とすると好適であるが、かかる接続位置に限定されず、例えば本体２の上部或いは下部或いは底部、或いは側部とこれらの内の所要部との組み合わせとすることが可能であり、端子基部２１ａ〜２１ｉの接続端部２１２ａ〜２１２ｉ等の本体２からの導出位置も側方に限定されずに同様に適宜である。
【００４４】
また、多極プラグの筒状電極と電気的に接続される本体２の端子基部２１ｂ〜２１ｉは、本体２の側部に設け、多極プラグの筒状電極に側方から接触するものとすると、長さを短くできて好適であるが、１つ或いは複数或いはこれらの全てを多極プラグの筒状電極に上方或いは下方等から接触するものとすることも可能である。
【００４５】
また、ケース３と本体２の長さ関係は、上記実施形態に限定されずに適宜であり、例えばケース３の鍔部３３が本体２の開口近くに位置するように配置される構成等とすることも可能である。
【産業上の利用可能性】
【００４６】
本発明は、例えば多機能型携帯電話、携帯型情報端末など各種電子機器の電気的な接続に用いられる多極ジャックに利用することができる。
【符号の説明】
【００４７】
１…多極ジャック  ２…本体  ２１ａ〜２１ｉ…端子基部  ２１１ａ〜２１１ｉ…プラグ接触部  ２１２ａ〜２１２ｉ、２１２ｍ…接続端部  ２１３、２１３ｍ…分岐接触片  ２１４ａ〜２１４ｉ、２１４ｍ…接触点  ２１５ｂ〜２１５ｉ…湾曲部  ２２…挿入孔  ３…ケース  ３１…開口  ３２…底部  ３３…鍔部  ３４ａ〜３４ｉ…延長端子部  ３４１ａ〜３４１ｉ…内端部  ３４２ａ〜３４２ｉ…外端部  ３５…側壁  ３６…下板
【図１】
2014137847.tif 000003
【図２】
2014137847.tif 000004
【図３】
2014137847.tif 000005
【図４】
2014137847.tif 000006
【図５】
2014137847.tif 000007
【図６】
2014137847.tif 000008
【図７】
2014137847.tif 000009